(57)【特許請求の範囲】
【請求項１】
複数の発光ダイオードを光源とする発光部と、該発光部から垂下される端子に対応して接点を絶縁状に配設して成る嵌着体と、該嵌着体が内嵌されるソケットと、該ソケットに被蓋される透光性のキャップとから成る豆電球において、
発光部は、複数の発光ダイオードが絶縁状に保持される保持体の円盤部に立設され、該円盤部の下方に垂下され、両側部の前後面を偏平面として成る差込み部において、一本のアノード側端子と一本のカソード側端子がそれぞれ前記両偏平面に渡ってＵ状に配設されて成り、
ソケットは、有底円筒状で底中央に接点挿通孔が貫設され、上部に直径方向で外周と連通する一対のＵ溝を有する嵌着体と、上縁にフランジが周設される有底筒部の底中央に、周壁と絶縁状に中央接点部が配設されるソケット本体とからなり、前記Ｕ溝の一方に嵌入配設される接点の垂下片が前記接点挿通孔に垂下され、他方のＵ溝に嵌入配設される接点は前記嵌着体の外周に沿ってその一部が露出され、前記両接点がソケット本体の周壁と中央接点部にそれぞれ接続されて成り、ソケット本体の電極に対して保持体の差込み部を嵌着体のＵ溝に抜き差し反転することにより、簡易に発光ダイオードの極性を合致できることを特徴とする発光ダイオードを用いた豆電球。
【発明の詳細な説明】
【０００１】
【発明の属する技術分野】
本発明は電気接続要素の分野に属し、ＬＥＤ（発光ダイオード）を光源とする豆電球に関する。
【０００２】
【従来の技術】
従来から、照明器具の光源に発光ダイオードを使用した技術は種々提案されているが、発光ダイオードを用いた豆電球を一般の照明器具に供給しようとするとき、その内蔵される電源からの端子の極性と、光源の極性が対応しないと発光しない問題があった。
なお、電源としての電池の配列を逆にして、光源の極性に対応させようとしても、接点構造に何らかの手当てが必要となるなどで、不便さは解消しないものである。
【０００３】
【発明が解決しようとする課題】
本発明は上記従来技術に鑑みて、照明器具の電源の端子の極性に、簡単に対応して発光する発光ダイオードを用いた豆電球を提供するものである。
【０００４】
【課題を解決するための手段】
すなわち、上記課題を解決する本発明の発光ダイオードを用いた豆電球は、複数の発光ダイオードを光源とする発光部と、該発光部から垂下される端子に対応して接点を絶縁状に配設して成る嵌着体と、該嵌着体が内嵌されるソケットと、該ソケットに被蓋される透光性のキャップとから成る豆電球において、
発光部は、複数の発光ダイオードが絶縁状に保持される保持体の円盤部に立設され、該円盤部の下方に垂下され、両側部の前後面を偏平面として成る差込み部において、一本のアノード側端子と一本のカソード側端子がそれぞれ前記両偏平面に渡ってＵ状に配設されて成り、
ソケットは、有底円筒状で底中央に接点挿通孔が貫設され、上部に直径方向で外周と連通する一対のＵ溝を有する嵌着体と、上縁にフランジが周設される有底筒部の底中央に、周壁と絶縁状に中央接点部が配設されるソケット本体とからなり、前記Ｕ溝の一方に嵌入配設される接点の垂下片が前記接点挿通孔に垂下され、他方のＵ溝に嵌入配設される接点は前記嵌着体の外周に沿ってその一部が露出され、前記両接点がソケット本体の周壁と中央接点部にそれぞれ接続されて成り、ソケット本体の電極に対して保持体の差込み部を嵌着体のＵ溝に抜き差し反転することにより、発光ダイオードの極性が合致される。
【０００５】
【発明の実施の形態】
発光体は複数個の発光ダイオードが集合されたもので、該発光体を包蔵する透光性のキャップは、レンズを着脱自在に収蔵するものなどでも提供され、また、発光部とソケットとは、該発光部の差込み部の偏平面とソケットの嵌着体における一対のＵ溝との関係に互換性を有して提供される。なお、発光体の極性と電源の極性との一致に関しては、発光部の抜き取り、反転、差込みによってなされる。
【０００６】
【実施例】
本発明を一実施例により具体的に説明すると、図２に示すように、透光性のキャップ１と、発光部２と、ソケット３とから成り、該発光部２は４個の発光ダイオード４を集合した発光体５と、該発光体５を絶縁状に保持する保持体６とからなり、該保持体６が円盤部７の上面に重畳した絶縁部８に前記発光体５を立設し、該円盤部７の下方に垂下され、両側部の前後面を偏平面として成る差込み部９において、一本のアノード側端子１０と一本のカソード側端子１１がそれぞれ両偏平面に渡ってＵ状に配設されて成り、ソケット３は有底厚肉の円筒状で底中央に接点挿通孔２１が貫設され、上部に直径方向で外周と連通する一対のＵ溝１２を有し、該Ｕ溝１２にそれぞれ前記両端子１０、１１に対応して各接点、すなわち、＋側接点１３と−側接点１４を絶縁状に嵌入配設し、該＋側接点１３の垂下片を前記接点挿通孔２１に挿通垂下し、一側接点１４の外端を外周に露出して成る嵌着体１５と、該嵌着体１５が内嵌接合される有底筒部１６と、該筒部１６の上縁に周設されるフランジ１７と、底中央に周壁１８と絶縁状に配設される中央接点部１９とからなるソケット本体２０とからなり、該ソケット本体２０の周壁１８と中央接点部１９にそれぞれ−側接点１４と＋側接点１３を接続してなる。
したがって、ソケット３に内嵌される嵌着体１５の一対のＵ溝１２に発光部２の差込み部９の両偏平面が差し込まれ、アノード側端子１０を＋側接点１３に接続し、カソード側端子１１を−側接点１４に接続し、透光性のキャップ１は前記発光部２の保持体６の円盤部７にその開口下端が外嵌されるとともに、前記ソケット本体２０のフランジ１７に位置決め着座されて図１に示す発光ダイオードを用いた豆電球（以下、単に豆電球とする。）ａとして提供されるのである。
このようにして成る豆電球ａは、懐中電灯などの照明器具（図外）に使用されたとき、ソケット３の中央接点部１９に、内蔵される電源の＋極の端子が接続され、周壁１８が−極の端子に接続される場合は、発光部２の発光体５の発光ダイオード４は発光するが、ソケット３の中央接点部１９に電源の−極の端子が接続され、周壁１８が＋極の端子に接続される場合は、発光ダイオード４への電流の流れが逆になり、該発光ダイオード４は発光しないのである。
そこで、ソケット３から発光部２を抜き取り、該発光部２のソケット３の嵌着体１５における各接点の＋極（周壁１８）にアノード側端子１０が対向し、−極（中央接点部１９）にカソード側端子１１が対向するように、発光部２を反転してソケット３に差込み嵌着すれば、各発光ダイオード４には正常に電流が流れて発光体５は発光するのである。
このように、ソケット３に対して発光部２を抜き差し反転することで、既設の電源の極性に簡単に対応でき、発光体５を発光させることができるのである。
【０００７】
このほか、図３に示すように、前記のソケット本体２０に前記嵌着体１５を嵌着接合して成るソケット３は、その各接点を配設したＵ溝１２において、前記発光部２の差込み部９に対して互換性を有するものとして、単品で提供できることは勿論である。
【０００８】
【発明の効果】
以上のように、本発明の豆電球によれば、懐中電灯などの照明器具に内蔵される電源に対して、その既設の端子の極性に合わせて、ソケット３の嵌着体１５に発光部２の差込み部９を差し換えできるから、端子の配置に左右されることなく、すべての照明器具に省力的に使用できる効果がある。
【図面の簡単な説明】
【図１】  本発明に係わる発光ダイオードを用いた豆電球ａのキャップ１を一部破断した斜視図である。
【図２】  同上豆電球ａの分解斜視図である。
【図３】  ソケット３の縦断面図である。
【符号の説明】
１  キャップ
２  発光部
３  ソケット
４  発光ダイオード
５  発光体
６  保持体
７  円盤部
８  絶縁部
９  差込み部
１０  アノード側端子
１１  カソード側端子
１２  Ｕ溝
１３  ＋側接点
１４  −側接点
１５  嵌着体
１６  有底筒部
１７  フランジ
１８  周壁
１９  中央接点部
２０  ソケット本体
２１  接点挿通孔
ａ  発光ダイオードを用いた豆電球
【図１】
0003829282.tif 000002
【図２】
0003829282.tif 000003
【図３】
0003829282.tif 000004